(57)【要約】【課題】排水時の洗浄力を強くすることができる壁排水型のターントラップ式水洗便器を提供する。【解決手段】ターントラップ装置１２に、溜水状態から排水状態への回動中におけるトラップ筒５の下流側開口５ｂからの溜水溢れを抑制しつつ、排水状態におけるトラップ筒５の下流側開口５ｂからの溜水流れを阻害しないようにする洗浄力確保機構８を設ける。【選択図】図１
2008291611.tif 000002
【特許請求の範囲】
【請求項１】
便器本体に便器ボウルから建物壁に設けた壁排水口に至る排水経路を備え、この排水経路に、上流側開口を便器ボウルの排水口に接続して下流側開口を上下に回動させるトラップ筒を備えたターントラップ装置を配設し、トラップ筒を上方に立ち上がる溜水状態から横向きになる排水状態に上下に回動させるように設定した壁排水型ターントラップ式水洗便器において、ターントラップ装置に、溜水状態から排水状態への回動中におけるトラップ筒の下流側開口からの溜水溢れを抑制しつつ、排水状態におけるトラップ筒の下流側開口からの溜水流れを阻害しないようにする洗浄力確保機構を設けたことを特徴とする壁排水型ターントラップ式水洗便器。
【請求項２】
トラップ筒の下流側開口の下縁部に上方に立ち上がる堰を設け、この堰に上流側から立ち上がる傾斜面を備え、トラップ筒が排水状態にあるときに堰の上端をトラップ筒の下流側開口の最低位置に位置させるようにしたことで、上記洗浄力確保機構を構成したことを特徴とする請求項１記載の壁排水型ターントラップ式水洗便器。
【発明の詳細な説明】
【技術分野】
【０００１】
本発明は、壁排水型ターントラップ式水洗便器に関するものである。
【背景技術】
【０００２】
ターントラップ式水洗便器には図３のように床２２に開設した床排水口２３に排水を流す床排水タイプのもの１´と、建物壁２０に開設した壁排水口２１に排水を流す壁排水タイプのものがある（図１（ｂ）参照）。
【０００３】
ここで、ターントラップ式の水洗便器は、便器ボウル３に連設したターントラップ装置１２のトラップ筒５を上下に回動させることで排水動作が行われる。詳しくは、トラップ筒５はその回動先端となる下流側開口５ｂが待機状態では上を向いており、洗浄動作時には排水口に向けるように下方に回動される。そして、この洗浄方式がターントラップ式のものは、従来一般の洗い落とし式やサイホン式と違って便器の構造自体で洗浄力を確保するものではなく、トラップ筒５を回転させて便器ボウル３の溜水を落下させることで洗浄力を確保している。つまり、溜水の位置エネルギーを利用して洗浄力が確保されることになる。
【０００４】
ところで、前者の床排水型ターントラップ式水洗便器１´では床排水口２３は下方にあるのでトラップ筒５はその下流側開口５ｂが下向きになるまで回転する。一方、後者の壁排水型ターントラップ式水洗便器１では壁排水口２１は横方向にあるのでトラップ筒５はその下流側開口５ｂが横方向に向くまでしか回転しない。つまり、壁排水型ターントラップ式水洗便器１では、トラップ筒５の回動範囲が床排水型ターントラップ式水洗便器に比べて小さいものであり、溜水が排水口２１へ流れる際の水の位置エネルギーを多く得ることができないものであり、したがって、洗浄力が不足しがちになるという問題を有している。
【０００５】
しかも、従来の壁排水型ターントラップ式水洗便器１では、図４のようにトラップ筒５が回動して洗浄動作が行われるのであるが、この洗浄動作においてトラップ筒５の回動中には便器ボウル３の溜水はトラップ筒５の下流側開口５ｂから溢れ出してダラダラと流れ落ちてしまうのであって、トラップ筒５の回動下端である排水時に大量の溜水を勢い良く流すことはできず、排水時の強い洗浄力を得ることができないのであった。
【特許文献１】特開２００５−１５５１４６号公報
【発明の開示】
【発明が解決しようとする課題】
【０００６】
本発明は上記の点に鑑みてなされたものであり、その目的とするところは、壁排水型のターントラップ式水洗便器において不足しがちな排水時の洗浄力を強くすることができる壁排水型ターントラップ式水洗便器を提供することを課題とするものである。
【課題を解決するための手段】
【０００７】
上記課題を解決するために請求項１に係る壁排水型ターントラップ式水洗便器にあっては、便器本体２に便器ボウル３から建物壁２０に設けた壁排水口２１に至る排水経路１１を備え、この排水経路１１に、上流側開口５ａを便器ボウル３の排水口に接続して下流側開口５ｂを上下に回動させるトラップ筒５を備えたターントラップ装置１２を配設し、トラップ筒５を上方に立ち上がる溜水状態から横向きになる排水状態に上下に回動させるように設定した壁排水型ターントラップ式水洗便器１において、ターントラップ装置１２に、溜水状態から排水状態への回動中におけるトラップ筒５の下流側開口５ｂからの溜水溢れを抑制しつつ、排水状態におけるトラップ筒５の下流側開口５ｂからの溜水流れを阻害しないようにする洗浄力確保機構８を設けたことを特徴とする。洗浄力確保機構８によると、トラップ筒５の回動中において溜水の下流側開口５ｂからの溢れを抑制して極力トラップ筒５内に留まらせるようにでき、排水状態となるトラップ筒５の回動下端において上記トラップ筒５内に留まらせた溜水を滞りなく一気に勢い良くトラップ筒５の下流側開口５ｂから流出させるようにできるのであり、このように排水状態での溜水の瞬間排出量を向上できたから、壁排水型のターントラップ式水洗便器１において不足しがちな排水時の洗浄力を強くすることができたのである。
【０００８】
また、請求項２に係る壁排水型ターントラップ式水洗便器にあっては、請求項１において、トラップ筒５の下流側開口５ｂの下縁部に上方に立ち上がる堰９を設け、この堰９に上流側から立ち上がる傾斜面１０を備え、トラップ筒５が排水状態にあるときに堰９の上端をトラップ筒５の下流側開口５ｂの最低位置に位置させるようにしたことで、上記洗浄力確保機構８を構成したことを特徴とする。これによると、洗浄力確保機構８を簡単に得ることができる。
【発明の効果】
【０００９】
本発明にあっては、壁排水型のターントラップ式水洗便器において不足しがちな排水時の洗浄力を強くすることができる、という利点を有する。
【発明を実施するための最良の形態】
【００１０】
以下、本発明を添付図面に示す実施形態に基いて説明する。
【００１１】
本例の壁排水型ターントラップ式水洗便器１は、図１（ｂ）のように、便器本体２の前部に設けた便器ボウル３の下部に後方に開口するボウル排水口４が設けられ、このボウル排水口４に上流側開口５ａを接続させたトラップ筒５が設けられ、このトラップ筒５が、回動先端となる下流側開口５ｂを上方に向く状態から略水平な後方に向く状態に上下に回動自在にさせて、便器本体２の後部に配設したトラップ筒収納室６に収納配置されており、トラップ筒５の下流側開口５ｂからの便器排水を建物壁２０に設けた壁排水口２１に流す室排水口７がトラップ筒収納室６の後壁６ａに設けられている。すなわち、便器本体２には、便器ボウル３からトラップ筒５、トラップ筒収納室６、室排水口７を経て壁排水口２１に至る便器排水が流れる排水経路１１が形成されている。
【００１２】
詳しくは、便器本体２の後部には脚部１４によってトイレルームの床面に載設されるユニット状のターントラップ装置１２が設けられており、このターントラップ装置１２に上記トラップ筒５及びトラップ筒収納室６、またトラップ筒５を回動駆動させる駆動装置１３が設けられている。詳しくは、駆動装置１３は、ターントラップ装置１２に設置したモータ（図示せず）と、このモータの出力軸に一端が接続されて回動中心にすると共に回動先端となる他端がトラップ筒５の下流側開口縁を支持した回動アーム１３ａとを備えて構成されている。また、トラップ筒５は可撓性を有する円筒部材であり、その下流側開口５ｂが上方に向いた状態では便器ボウル３に溜水が溜められる溜水状態（待機状態）であり、洗浄動作時には下流側開口５ｂを室排水口７に向けるように下方に回動されるのであり、回動下端である下流側開口５ｂが後方横向きに向いた状態では、下流側開口５ｂが室排水口７に略対向するように位置して、下流側開口５ｂから上記溜水が便器排水として排水される排水状態となる。
【００１３】
ここで、本例のターントラップ装置１２には、溜水状態から排水状態への回動中におけるトラップ筒５の下流側開口５ｂからの溜水溢れを抑制しつつ、排水状態におけるトラップ筒５の下流側開口５ｂからの溜水流れを阻害しないようにする洗浄力確保機構８が設けられている。具体的に、本例の洗浄力確保機構８は、図１（ａ）のように、トラップ筒５の下流側開口５ｂの下縁部に上方に立ち上がる三角推状の堰９を設けると共に、この堰９に上流側から立ち上がる傾斜面１０を備え、図２のように、トラップ筒５が排水状態にあるときに堰９の上端をトラップ筒５の下流側開口５ｂの最低位置に位置させるように駆動装置１３にてトラップ筒５の回動を行わせるようにしたことで、構成されている
すなわち、上記洗浄力確保機構８によると、待機状態の図２（ａ）の状態からトラップ筒５を下方に回動させる洗浄動作が始まると、図２（ｂ）のようにトラップ筒５の回動中においては、トラップ筒５の下流側開口５ｂの下縁から立ち上がる堰９が溜水を堰き止めることによって溜水の下流側開口５ｂからの溢れを抑制して極力トラップ筒５内に留まらせるようにできるのであり、そして、図２（ｃ）のように排水状態となるトラップ筒５が回動下端位置に位置したときには、上記堰９の傾斜面１０が略水平かまたは下流側ほど下位置となるような状態になって、つまり堰９の上端（傾斜面１０の上端部分）がトラップ筒５の下流側開口５ｂの最低位置に位置するようになり、上記トラップ筒５内に留まらせた大量の溜水が堰９で堰き止められることなく、下流側開口５ｂから滞りなく一気に勢い良く排出されるようになっている。このように、本例の壁排水型のターントラップ式水洗便器１にあっては、洗浄力確保機構８によって排水状態での溜水の瞬間排出量を向上することができたから、壁排水型のターントラップ式水洗便器１において不足しがちな排水時の洗浄力を強くすることができたのである。
【００１４】
しかも、本例の洗浄力確保機構８は、トラップ筒５の下流側開口５ｂの下縁部に上流側から徐々に立ち上がる傾斜面１０を有した堰９を形成し、排水状態にあるときに堰９の上端をトラップ筒５の下流側開口５ｂの最低位置に位置させることで構成されており、つまり、通常のトラップ筒５の下流側開口５ｂの下縁部に堰９を付設して駆動装置１３の回動下端設定をトラップ筒５の下流側開口５ｂがやや下向きに開口する位置にまで設定するということで洗浄力確保機構８を得られるのである。すなわち、既存のターントラップ装置１２の一部に手を加えるのみで簡単に洗浄力確保機構８を得ることができたものである。このように、本例の壁排水型のターントラップ式水洗便器１は、既存のターントラップ装置１２の一部に手を加えて洗浄力確保機構８を形成するだけで、簡単に排水時の洗浄力を強くすることができたのである。
【図面の簡単な説明】
【００１５】
【図１】本発明の実施の形態の例であり、（ａ）は要部（トラップ筒）の側面図であり、（ｂ）は壁排水型ターントラップ式水洗便器の全体の概略側断面図である。
【図２】（ａ）〜（ｃ）は同上のトラップ筒の洗浄動作を順に説明する説明図である。
【図３】従来技術を説明する床排水型ターントラップ式水洗便器の側面図である。
【図４】従来技術の例の壁排水型ターントラップ式水洗便器におけるトラップ筒の洗浄動作を順に説明する説明図である。
【符号の説明】
【００１６】
１  壁排水型ターントラップ式水洗便器
２  便器本体
３  便器ボウル
４  ボウル排水口
５  トラップ筒
５ａ  上流側開口
５ｂ  下流側開口
６  トラップ筒収納室
７  室排水口
８  洗浄力確保機構
９  堰
１０  傾斜面
１１  排水経路
１２  ターントラップ装置
１３  駆動装置
【図１】
2008291611.tif 000003
【図２】
2008291611.tif 000004
【図３】
2008291611.tif 000005
【図４】
2008291611.tif 000006